(57)【要約】【課題】本発明は、多重故障した場合でもリアルタイムで故障箇所を特定可能ならしめる多重化装置を提供する。【解決手段】機器制御部を備えた２以上の電子機器１、２、各電子機器の稼動状態を監視し故障発生順序を解析する監視部を備えた監視用電子機器３、４、各機器用表示部（ＦＡＵＬＴ―Ａ，ＦＡＵＬＴ―Ｂ）、制御バス及び監視専用バスを備えているバス部１２、監視用電子機器３、４より故障発生順序を示す故障情報を各機器用表示部に向けて伝達する各光伝達部を備え、監視用電子機器は各光伝達部に表示用光信号を各々入力する各故障表示灯８、９、故障発生順序に応じて各故障表示灯を制御する点灯制御機能部を含む。  【選択図】図１
2010182037.tif 000002
【特許請求の範囲】
【請求項１】
少なくとも機器制御部を備えた２以上の電子機器と、
前記各電子機器の稼動状態を監視するとともに当該各電子機器の故障発生順序を解析する監視部を備えた監視用電子機器と、
前記電子機器側に設けられ前記各電子機器の稼働状態を各々表示する複数の各機器用表示部と、
前記各電子機器における各機器制御部の相互間を接続する制御バス及び前記各電子機器における各機器制御部と前記監視用電子機器における前記監視部とを接続する監視専用バスを備えているバス部と、
前記各電子機器と前記監視用電子機器との相互間に設けられ前記監視用電子機器より前記故障発生順序を示す故障情報を対応する前記各機器用表示部に向けて各々伝達する複数の各光伝達部と、を備え、
前記監視用電子機器は、
前記各電子機器に対応して設けられ前記各光伝達部に表示用光信号を各々入力するための各故障表示灯と、
前記故障発生順序に応じて前記各故障表示灯を点灯制御する点灯制御機能部と、
を備えることを特徴とした多重化装置。
【請求項２】
請求項１に記載の多重化装置において、
前記監視部の他に、当該監視部と独立して構成され当該監視部と同等の機能を有する第２監視部をさらに備え、
前記監視専用バスは、前記各電子機器における各機器制御部と前記監視部とを接続する第１監視バスと、前記第１監視バスと独立して構成され前記各電子機器における各機器制御部と前記第２監視部とを接続する第２監視バスとを備えるものであることを特徴とする多重化装置。
【請求項３】
請求項２に記載の多重化装置において、
前記監視部及び第２監視部は、一の前記監視用電子機器内に設けられるものであることを特徴とする多重化装置。
【請求項４】
請求項２に記載の多重化装置において、
前記監視部は、一の前記監視用電子機器に設けられ、
前記第２監視部は、前記各電子機器に新たに併設される他の監視用電子機器に設けられるものであることを特徴とする多重化装置。
【請求項５】
請求項４に記載の多重化装置において、
前記点灯制御機能部は、
前記各故障表示灯を故障順序に応じて異なる色で表示するように制御するものであることを特徴とする多重化装置。
【請求項６】
請求項５に記載の多重化装置において、
前記点灯制御機能部は、
先に故障が発生した前記電子機器に対応する前記故障表示灯を赤点灯させ、次に故障が発生した前記電子機器に対応する前記故障表示灯を青点灯させるものであることを特徴とする多重化装置。
【請求項７】
請求項６に記載の多重化装置において、
前記点灯制御機能部は、
前記各電子機器が自動的に再起動される際に、前記故障情報が前記各機能表示部にて一定時間保持されるように前記各故障表示灯を点灯制御するものであることを特徴とする多重化装置。
【請求項８】
請求項７に記載の多重化装置において、
一の前記電子機器に対応する一の前記監視用電子機器、前記一の電子機器、他の前記電子機器、前記他の電子機器に対応する他の前記監視用電子機器がこの順で積層配置され、
前記配置に対応して前記各光伝達部を配設したことを特徴とする多重化装置。
【請求項９】
請求項７に記載の多重化装置において、
データ記憶専用の記憶用電子機器を前記各電子機器に対応して各々配置し、
前記監視用電子機器における前記監視部が、前記記憶用電子機器の稼働状態をも監視し前記記憶用電子機器及び前記各電子機器を含めた故障発生順序を解析することを特徴とする多重化装置。
【請求項１０】
請求項７に記載の多重化装置において、
前記電子機器の機器用表示部を、第１表示部とこの第１表示部と同等に機能する第２表示部とにより構成し、
前記監視用電子機器に、前記各電子機器に対応して設けられ前記監視部での監視結果に応じて表示発光する第２故障表示灯をそれぞれ併設し、
前記光伝達部は、
前記監視用電子機器における前記故障表示灯からの出力光を一方の前記電子機器に装備された第１表示部に向けて案内し伝達する第１の他電子機器用光伝達部と、
前記監視用電子機器における前記第２故障表示灯からの出力光を他方の前記電子機器に装備された第２表示部に向けて案内し伝達する第２の他電子機器用光伝達部とからなることを特徴とする多重化装置。
【請求項１１】
請求項１０に記載の多重化装置において、
一の前記電子機器、前記一の電子機器に対応する一の前記監視用電子機器、他の前記電子機器に対応する他の前記監視用電子機器、前記他の電子機器がこの順で積層配置され、
前記一方と他方の電子機器の積層配置に際しては、前記一方の電子機器における第２表示部が当該一方の電子機器における積層方向の外端部に配設され、前記他方の電子機器における第２表示部が当該他方の電子機器における積層方向の外端部に配設され、
前記各表示部に対応して前記各他電子機器用光伝達部を配設したことを特徴とする多重化装置。
【請求項１２】
請求項１０に記載の多重化装置において、
一の前記電子機器と当該一の電子機器に対応する一の前記監視用電子機器とが第１層に配置されるとともに、他の前記電子機器と当該他の電子機器に対応する他の前記監視用電子機器とが第２層に配置され、
前記配置に対応して前記各他電子機器用光伝達部を配設したことを特徴とする多重化装置。
【請求項１３】
請求項１０に記載の多重化装置において、
一の前記電子機器と他の前記電子機器とが積層配置されるとともに、前記一の電子機器に対応する一の前記監視用電子機器と,前記他の電子機器に対応する他の前記監視用電子機器とが積層方向と交差する方向に配置され、
前記配置に対応して前記各他電子機器用光伝達部を配設したことを特徴とする多重化装置。
【請求項１４】
請求項１０に記載の多重化装置において、
前記他電子機器用光伝達部は、ループ状光経路を含むものであることを特徴とする多重化装置。
【請求項１５】
請求項１０に記載の多重化装置において、
前記他電子機器用光伝達部は、一又は複数のプリズム状ミラーを含んで構成されるものであることを特徴とする多重化装置。
【請求項１６】
請求項１０に記載の多重化装置において、
前記他電子機器用光伝達部は、その一部に光ファイバーを含むものであることを特徴とする多重化装置。
【請求項１７】
請求項１１に記載の多重化装置において、
前記第１監視バスは、前記各電子機器における各機器制御部と前記監視部と前記第２監視部とを接続するものであり、
前記第２監視バスは、前記第１監視バスと独立した伝送経路にて、前記各電子機器における各機器制御部と前記監視部と前記第２監視部とを接続するものであることを特徴とする多重化装置。
【請求項１８】
少なくとも機器制御部を備えた２以上の電子機器と、前記各電子機器の稼動状態を監視する監視部を備えた監視用電子機器と、前記電子機器側に設けられ前記各電子機器の稼働状態を各々表示する複数の各機器用表示部と、前記各電子機器における各機器制御部の相互間を接続する制御バス及び前記各電子機器における各機器制御部と前記監視用電子機器における前記監視部とを接続する監視専用バスを備えているバス部と、を含むと共に当該バス部により前記各電子機器を多重化してなる多重化装置にあって、前記各電子機器の故障発生順序を表示するための多重化装置用故障発生順序表示方法であって、
前記監視用電子機器における前記監視部が前記各電子機器における各機器制御部をそれぞれ監視するとともに当該各電子機器の故障発生順序を解析し、
続いて、この解析の結果前記監視用電子機器における前記監視部が前記各電子機器のうち先に停止した一の前記電子機器における前記機器制御部を検出した場合に、前記監視用電子機器が備えている前記一の電子機器に対応する一の故障表示灯から一の表示用光信号を出力し、
次に、前記監視用電子機器における前記一の故障表示灯からの前記一の表示用光信号を一の光伝達部を介して前記一の電子機器に対応する一の前記機器用表示部に向けて案内伝達し、
更に続いて、前記解析の結果前記監視部が前記各電子機器のうち次に停止した他の前記電子機器における前記機器制御部を検出した場合に、前記監視用電子機器が備えている前記他の電子機器に対応する他の故障表示灯から前記一の表示用光信号と異なる他の表示用光信号を出力し、
しかる後、前記監視用電子機器における前記他の故障表示灯からの前記他の表示用光信号を他の光伝達部を介して前記他の電子機器に対応する他の前記機器用表示部に向けて案内伝達する、
ことを特徴とした多重化装置用故障発生順序表示方法。
【請求項１９】
少なくとも機器制御部を備えた２以上の電子機器と、前記各電子機器の稼動状態を監視する監視部を備えた監視用電子機器と、前記電子機器側に設けられ前記各電子機器の稼働状態を各々表示する複数の各機器用表示部と、前記各電子機器における各機器制御部の相互間を接続する制御バス及び前記各電子機器における各機器制御部と前記監視用電子機器における前記監視部とを接続する監視専用バスを備えているバス部と、且つ前記バス部により前記各電子機器が多重化されてなる多重化装置にあって、予め前記監視用電子機器に装備されたコンピュータに対して、諸機能の実現を設定する故障発生順序表示用制御プログラムであって、
前記各電子機器における各機器制御部をそれぞれ監視するとともに当該各電子機器の故障発生順序を解析する故障発生順序解析機能と、
この解析の結果前記各電子機器のうち先に停止した一の前記電子機器における前記機器制御部を検出した場合に、前記監視用電子機器が備えている前記一の電子機器に対応する一の故障表示灯から一の表示用光信号を出力する第１光出力制御機能と、
前記解析の結果次に停止した他の前記電子機器における前記機器制御部を検出した場合に、前記監視用電子機器が備えている前記他の電子機器に対応する他の故障表示灯から前記一の表示用光信号と異なる他の表示用光信号を出力する第２光出力制御機能と、
を前記コンピュータに実現させ、
これにより、前記一の表示用光信号を一の光伝達部を介して前記一の電子機器に対応する一の前記機器用表示部に向けて案内伝達し、前記他の表示用光信号を他の光伝達部を介して前記他の電子機器に対応する他の前記機器用表示部に向けて案内伝達するようにしたことを特徴とする故障発生順序表示用制御プログラム。
【発明の詳細な説明】
【技術分野】
【０００１】
本発明は、電子機器にかかる多重化装置に関し、特に、ストレージ、サーバ等の電子機器の増設を意図してなされる多重化装置、多重化装置用故障発生順序表示方法、及び故障発生順序表示用制御プログラムに関する。
【背景技術】
【０００２】
複数のストレージ等の電子機器を多重化してなる多重化装置の関連技術の例として、例えば特許文献１などが挙げられる。
この特許文献１における多重化装置では、複数のディスク装置を備えたＲＡＩＤ（Ｒedundant  Ａrrays  of  Ｉnexpensive  Ｄisks）構成の例が示されている。ＲＡＩＤは、ホスト計算機と同一の筐体に格納したり、ホスト計算機とは別のディスク筐体に格納したりして構成されている。
【０００３】
このＲＡＩＤは、故障したディスク装置を交換するに際しては、ホスト計算機やＲＡＩＤ装置の電源を切らずに交換する活線挿抜を行うことが多い。このため、ディスク筐体には、故障したディスク装置はどれか、ＲＡＩＤとして組み込まれているディスク装置はどれか、などをオペレータに視角的に知らせるためのＬＥＤ等による表示手段が設けられている。
【０００４】
更にこの特許文献１では、ホストに搭載したＲＡＩＤ制御手段には筐体管理バス制御手段が設けられる。更にディスク筐体には筐体管理手段とディスク抑止手段が設けられる。
ディスク筐体の各ディスク装置とＲＡＩＤ制御手段とはディスクインタフェースバス（ディスクＩ／Ｆバス）により接続されている。ディスク筐体の筐体管理手段とＲＡＩＤ制御手段とは筐体管理バスにて接続されている。
筐体管理手段は、ディスク装置を特定するための固有ＩＤによりディスク装置毎のＬＥＤ（表示手段）を点灯制御する。
【０００５】
又、上記表示手段は、故障したディスク装置を識別できるようにしたり、電源や、ファン、温度等、ディスク筐体内部に異常が発生していることを識別できるようにするもので、多くは、ＬＥＤ等の素子により実現し、筐体管理手段が表示手段を制御するように構成されている。
【０００６】
更に、このような多重化装置では、一の電子機器（冗長化部品）に故障が発生すると、最初に故障した一の電子機器（制御部等の冗長化部品）が共用しているシステムバスを経由して、稼動中の他方の電子機器（冗長化部品）の停止を誘発し、多重化装置におけるシステム全体が停止してしまうケース（以降、多重故障という）があった。
例えば特許文献２では、多重故障に対応するために、ディスクアレイ装置における複数の保守対象部品の活性保守を行う場合、保守対象部品の保守交換を行う順番を判断するための指標となる情報である保守対象部品優先順位情報にしたがって保守対象部品の保守交換を行う順番を示す情報である部品保守順序情報を作成する。更に特許文献２に示すディスクアレイ装置は、複数の保守対象部品を保守交換すべき順番に並べ、その並べられた順番で保守対象部品の保守交換を行うように、ディスクアレイ装置のオペレータを誘導する。
【先行技術文献】
【特許文献】
【０００７】
【特許文献１】特開平９−３３０１８４号公報
【特許文献２】特開２００８−１９１９０８号公報
【発明の概要】
【発明が解決しようとする課題】
【０００８】
ところで、上述した関連技術の多重化装置では、多重故障が発生した場合、全ての電子機器（制御部など）も停止するために、全ての電子機器に対応する全故障ランプが「故障状態」を示す点灯状態となるため、多重化装置内のどの電子機器が真に故障したものであるのかその故障箇所が特定できない、という不都合があった。
【０００９】
特に、特許文献２では、活性保守制御をコントロールするＣＭ（特許文献２ではＣＰＵとメモリとその他のテーブルなどから構成される）が多重故障するケースでは対応できない、という不都合があった。
すなわち、特許文献２では、ＣＭ（制御部）に保守ＰＣ管理機能と故障順序テーブルがあるため、２以上のＣＭ（制御部）が多重故障となる場合、ディスクアレイ装置の再起動の後に保守ＰＣを接続し、更にログ確認をして故障順序情報を確認しなければならず、リアルタイムでは故障箇所が特定できない、という不都合があった。
【００１０】
更に、関連技術では、オペレータが、多重故障時に各電子機器（冗長部品）を一つずつ接続して動作確認を行いながら、故障箇所の切り分け及び故障箇所の切り離しの作業を行う必要があり、前記作業による多重化装置の稼働率が低下する、という不都合があった。
【００１１】
本発明の目的は、上述の関連技術の不都合を解決することにあり、多重化装置を構成する各電子機器における各々の機器制御部が多重故障した場合でもリアルタイムで故障箇所を特定可能ならしめる多重化装置、多重化装置用故障発生順序表示方法、及び故障発生順序表示用制御プログラムを提供することにある。
【課題を解決するための手段】
【００１２】
上記目的を達成するため、本発明の多重化装置では、少なくとも機器制御部を備えた２以上の電子機器と、前記各電子機器の稼動状態を監視するとともに当該各電子機器の故障発生順序を解析する監視部を備えた監視用電子機器と、前記電子機器側に設けられ前記各電子機器の稼働状態を各々表示する複数の各機器用表示部と、前記各電子機器における各機器制御部の相互間を接続する制御バス及び前記各電子機器における各機器制御部と前記監視用電子機器における前記監視部とを接続する監視専用バスを備えているバス部と、前記各電子機器と前記監視用電子機器との相互間に設けられ前記監視用電子機器より前記故障発生順序を示す故障情報を対応する前記各機器用表示部に向けて各々伝達する複数の各光伝達部と、を備え、前記監視用電子機器は、前記各電子機器に対応して設けられ前記各光伝達部に表示用光信号を各々入力するための各故障表示灯と、前記故障発生順序に応じて前記各故障表示灯を点灯制御する点灯制御機能部とを備えることを特徴としている。
【００１３】
上記目的を達成するため、本発明の多重化装置用故障発生順序表示方法では、少なくとも機器制御部を備えた２以上の電子機器と、前記各電子機器の稼動状態を監視する監視部を備えた監視用電子機器と、前記電子機器側に設けられ前記各電子機器の稼働状態を各々表示する複数の各機器用表示部と、前記各電子機器における各機器制御部の相互間を接続する制御バス及び前記各電子機器における各機器制御部と前記監視用電子機器における前記監視部とを接続する監視専用バスを備えているバス部と、を含むと共に当該バス部により前記各電子機器を多重化してなる多重化装置にあって、前記各電子機器の故障発生順序を表示するための多重化装置用故障発生順序表示方法であって、前記監視用電子機器における前記監視部が前記各電子機器における各機器制御部をそれぞれ監視するとともに当該各電子機器の故障発生順序を解析し、続いて、この解析の結果前記監視用電子機器における前記監視部が前記各電子機器のうち先に停止した一の前記電子機器における前記機器制御部を検出した場合に、前記監視用電子機器が備えている前記一の電子機器に対応する一の故障表示灯から一の表示用光信号を出力し、次に、前記監視用電子機器における前記一の故障表示灯からの前記一の表示用光信号を一の光伝達部を介して前記一の電子機器に対応する一の前記機器用表示部に向けて案内伝達し、更に続いて、前記解析の結果前記監視部が前記各電子機器のうち次に停止した他の前記電子機器における前記機器制御部を検出した場合に、前記監視用電子機器が備えている前記他の電子機器に対応する他の故障表示灯から前記一の表示用光信号と異なる他の表示用光信号を出力し、しかる後、前記監視用電子機器における前記他の故障表示灯からの前記他の表示用光信号を他の光伝達部を介して前記他の電子機器に対応する他の前記機器用表示部に向けて案内伝達する、ことを特徴としている。
【００１４】
上記目的を達成するため、本発明の故障発生順序表示用制御プログラムでは、少なくとも機器制御部を備えた２以上の電子機器と、前記各電子機器の稼動状態を監視する監視部を備えた監視用電子機器と、前記電子機器側に設けられ前記各電子機器の稼働状態を各々表示する複数の各機器用表示部と、前記各電子機器における各機器制御部の相互間を接続する制御バス及び前記各電子機器における各機器制御部と前記監視用電子機器における前記監視部とを接続する監視専用バスを備えているバス部と、且つ前記バス部により前記各電子機器が多重化されてなる多重化装置にあって、予め前記監視用電子機器に装備されたコンピュータに対して、諸機能の実現を設定する故障発生順序表示用制御プログラムであって、前記各電子機器における各機器制御部をそれぞれ監視するとともに当該各電子機器の故障発生順序を解析する故障発生順序解析機能と、この解析の結果前記各電子機器のうち先に停止した一の前記電子機器における前記機器制御部を検出した場合に、前記監視用電子機器が備えている前記一の電子機器に対応する一の故障表示灯から一の表示用光信号を出力する第１光出力制御機能と、前記解析の結果次に停止した他の前記電子機器における前記機器制御部を検出した場合に、前記監視用電子機器が備えている前記他の電子機器に対応する他の故障表示灯から前記一の表示用光信号と異なる他の表示用光信号を出力する第２光出力制御機能と、を前記コンピュータに実現させ、これにより、前記一の表示用光信号を一の光伝達部を介して前記一の電子機器に対応する一の前記機器用表示部に向けて案内伝達し、前記他の表示用光信号を他の光伝達部を介して前記他の電子機器に対応する他の前記機器用表示部に向けて案内伝達するようにしたこと特徴としている。
【発明の効果】
【００１５】
本発明によれば、電子機器を構成する制御回路及び記憶回路などの機器制御部の高速化に伴って生じる多重故障の増大に対して各電子機器の故障発生順序を専用に監視し多重故障の際にも継続稼動する監視用電子機器を装備しこの監視用電子機器には多重故障の際にも稼動可能な故障表示灯が備えられておりこの故障表示灯から故障に影響しない光伝達部を介して各機器用表示部に故障発生順序を表示するようにしたので、多重故障に対してその故障発生順序をリアルタイムで目視にて確認可能となり、多重故障発生時の対応の簡略化及び効率化ができるという、関連技術にない優れた多重化装置、多重化装置用故障発生順序表示方法、及び故障発生順序表示用制御プログラムを提供することができる。
【図面の簡単な説明】
【００１６】
【図１】本発明の第１実施形態による多重化装置の全体構成の一例を示す説明図である。
【図２】図１の多重化装置の詳細構成の一例を示す説明図である。
【図３】本発明の第１実施形態おける多重化装置全体の動作処理手順の一例を示すフローチャートである。
【図４】本発明の第１実施形態おける第１監視部の動作処理手順の一例を示すフローチャートである。
【図５】本発明の第１実施形態おける第２監視部の動作処理手順の一例を示すフローチャートである。
【図６】本発明の第２実施形態による多重化装置の全体構成の一例を示す説明図である。
【図７】図６の多重化装置の詳細構成の一例を示す説明図である。
【図８】本発明の第２実施形態おける多重化装置全体の動作処理手順の一例を示すフローチャートである。
【図９】本発明の第２実施形態おける第１監視部の動作処理手順の一例を示すフローチャートである。
【図１０】本発明の第２実施形態おける第２監視部の動作処理手順の一例を示すフローチャートである。
【図１１】本発明の第３実施形態による多重化装置の全体構成の一例を示す説明図である。
【図１２】図１１の多重化装置の詳細構成の一例を示す説明図である。
【図１３】本発明の第３実施形態おける多重化装置全体の動作処理手順の一例を示すフローチャートである。
【図１４】本発明の第３実施形態おける第１監視部の動作処理手順の一例を示すフローチャートである。
【図１５】本発明の第３実施形態おける第２監視部の動作処理手順の一例を示すフローチャートである。
【図１６】本発明の第４実施形態による多重化装置の全体構成の一例を示す説明図である。
【図１７】図１６の多重化装置の詳細構成の一例を示す説明図である。
【図１８】本発明の第４実施形態おける多重化装置全体の動作処理手順の一例を示すフローチャートである。
【図１９】本発明の第４実施形態おける第１監視部の動作処理手順の一例を示すフローチャートである。
【図２０】本発明の第４実施形態おける第２監視部の動作処理手順の一例を示すフローチャートである。
【図２１】本発明の第５実施形態による多重化装置の全体構成の一例を示す説明図である。
【図２２】図２１の多重化装置の詳細構成の一例を示す説明図である。
【図２３】本発明の第６実施形態による多重化装置の全体構成の一例を示す説明図である。
【図２４】図２３の多重化装置の詳細構成の一例を示す説明図である。
【発明を実施するための形態】
【００１７】
以下、本発明の「多重化装置」の好適な実施の形態の一例について、図面を参照して具体的に説明する。
【００１８】
〔第１の実施の形態〕
（多重化装置の基本的構成）
先ず、多重化装置の基本的構成について説明する。図１は、本発明の第１実施形態による多重化装置の全体構成の一例を示す説明図である。図２は、図１の多重化装置の詳細構成の一例を示す説明図である。
図１及び図２に示すように、本発明の第１実施形態の多重化装置１４は、基本的構成として、機器制御部としての第１制御部１ａを備えた電子機器１と、同じく機器制御部としての第２制御部２ａを備えた電子機器２とを備える。
【００１９】
又、多重化装置１４は、電子機器１、電子機器２の稼動状態をそれぞれ監視するとともに当該各電子機器１、２の故障発生順序を解析する監視部としての第１監視部３ａを備えた監視用電子機器３を有する。
更に又、多重化装置１４は、前記第１監視部３ａの他に、当該第１監視部３ａと独立して構成され当該第１監視部３ａと同等の機能を有する第２監視部４ａを備えた他の監視用電子機器４を有する。
【００２０】
更に、多重化装置１４は、前記電子機器１側に設けられ前記電子機器１の稼働状態を表示する機器用表示部としての第１制御部用表示部「ＦＡＵＬＴ―Ａ」と、前記電子機器２側に設けられ前記電子機器２の稼働状態を表示する機器用表示部としての第２制御部用表示部「ＦＡＵＬＴ―Ｂ」とを備える。
【００２１】
又、多重化装置１４は、前記電子機器１における第１制御部１ａと電子機器２における第２制御部２ａとの相互間を連携するためのバス部であるシステムバス１２を備える。このシステムバス１２は、第１制御部１ａ、第２制御部２ａを監視するためのバス部でもある。
【００２２】
更に、多重化装置１４は、前記電子機器１と前記監視用電子機器３との相互間に設けられ、前記監視用電子機器３より故障発生順序を示す故障情報を第１制御部用表示部「ＦＡＵＬＴ―Ａ」（機器用表示部）に向けて伝達する一の光伝達部を備える。
この一の光伝達部は、例えばプリズム状ミラー７（監視部左プリズム状ミラー）及びプリズム状ミラー８（制御部左プリズム状ミラー）にて構成される。
【００２３】
又、多重化装置１４は、前記電子機器２と前記監視用電子機器４との相互間に設けられ、前記監視用電子機器４より故障発生順序を示す故障情報を第２制御部用表示部「ＦＡＵＬＴ―Ｂ」（機器用表示部）に向けて伝達する他の光伝達部を備える。
上記他の光伝達部は、例えばプリズム状ミラー１０（監視部右プリズム状ミラー）及びプリズム状ミラー１１（制御部右プリズム状ミラー）にて構成される。
【００２４】
監視用電子機器３は、前記電子機器１に対応して設けられ前記一の光伝達部（プリズム状ミラー７及びプリズム状ミラー８）に表示用光信号を入力するための故障表示灯としての第１故障表示灯６を備える。
又、監視用電子機器３は、前記故障発生順序に応じて前記第１故障表示灯６を点灯制御する第１点灯制御機能部（不図示）を備える。
【００２５】
監視用電子機器４は、前記電子機器２に対応して設けられ前記他の光伝達部（プリズム状ミラー１０及びプリズム状ミラー１１）に表示用光信号を入力するための故障表示灯としての第２故障表示灯９を備える。
又、監視用電子機器４は、前記故障発生順序に応じて前記第２故障表示灯９を点灯制御する第２点灯制御機能部（不図示）を備える。  
ここで、監視用電子機器３、４を用意せずに、１つの監視用電子機器で構成してもよい。その場合、１つの監視用電子機器には、監視用電子機器３における第１故障表示灯６を点灯制御する第１点灯制御機能部と、監視用電子機器４における第２故障表示灯９を点灯制御する第２点灯制御機能部とを統合した点灯制御機能部を備えてよい。
【００２６】
システムバス１２（バス部）は、前記電子機器１における第１制御部１ａと電子機器２における第２制御部２ａとの相互間を接続する制御バス１３を備える。
又、システムバス１２（バス部）は、前記電子機器１における第１制御部１ａと電子機器２における第２制御部２ａと前記監視部とを接続する監視専用バスを備えてよい。
この監視専用バスの例として、第１監視バス１５、第２監視バス１６などが挙げられる。
【００２７】
第１監視バス１５は、前記電子機器１における第１制御部１ａと電子機器２における第２制御部２ａと監視用電子機器３における第１監視部３ａとを接続する。
第２監視バス１６は、前記電子機器１における第１制御部１ａと電子機器２における第２制御部２ａと監視用電子機器４における第２監視部４ａとを接続する。
【００２８】
更に、システムバス１２（バス部）は、第１制御部１ａ又は第１監視部３ａであることを識別する第１識別子を格納した第１識別子格納部１７を備える。
第１識別子格納部１７には、第１識別子であるロケーションＩＤ［１］が格納されている。
【００２９】
又、システムバス１２（バス部）は、第２制御部２ａ又は第２監視部４ａであることを識別する第２識別子を格納した第２識別子格納部１８を備える。
第２識別子格納部１８には、第２識別子であるロケーションＩＤ［２］が格納されている。
【００３０】
第１制御部１ａと第２制御部２ａとは、制御バス１３を介して各々制御動作を行う。
又、第１監視部３ａは、第１制御部１ａと第２制御部２ａと第１監視部３ａを結ぶ第１監視バス１５を介して監視を行う。
更に、第２監視部４ａは、第１制御部１ａと第２制御部２ａと第２監視部４ａを結ぶ第２監視バス１６を介して監視を行う。
【００３１】
第１監視部３ａは、第２制御部２ａが動作している場合に限り、第１制御部１ａが稼動しているかチェックし、第１制御部１ａが稼動していない場合、先に第１制御部１ａが故障するものと判断し、第１故障表示灯６を故障発生順序（第１番目の故障発生）を示す故障情報の一例である赤点灯を行う。
第１監視部３ａは、第１制御部１ａが稼動している場合、後に第１制御部１ａが故障するものと判断し、第１故障表示灯６を故障発生順序（第２番目の故障発生）を示す故障情報の一例である青点灯を行う。
第１故障表示灯６から発した光は、プリズム状ミラー７及びプリズム状ミラー８を介して第１制御部１ａ側の表示部（「ＦＡＵＬＴ―Ａ」）から出力される。
【００３２】
第２監視部４ａは、第１制御部１ａが動作している場合に限り、第２制御部２ａが稼動しているかチェックし、第２制御部２ａが稼動していない場合、先に第２制御部２ａが故障するものと判断し、第２故障表示灯９を故障発生順序（第１番目の故障発生）を示す故障情報の一例である赤点灯を行う。
第２監視部４ａは、第２制御部２ａが稼動している場合、後に第２制御部２ａが故障したものと判断し、第２故障表示灯９を故障発生順序（第２番目の故障発生）を示す故障情報の一例である青点灯のままとし状態遷移させない。その理由は、第１制御部１ａと第２制御部２ａとの双方が正常に稼働している場合には、第１故障表示灯６と第２故障表示灯９とは共に青点灯の状態となっているからである。
第２故障表示灯９から発した光は、プリズム状ミラー１０及びプリズム状ミラー１１を介して第２制御部２側の表示部（「ＦＡＵＬＴ―Ｂ」）から出力される。
【００３３】
（動作処理手順について）
（全体の概略動作）
次に、上述のような構成を有する多重化装置における全体の動作処理手順について、図３乃至図５を参照しつつ説明する。図３は、本発明の第１実施形態おける多重化装置全体の動作処理手順の一例を示すフローチャートである。図４は、本発明の第１実施形態おける第１監視部の動作処理手順の一例を示すフローチャートである。図５は、本発明の第１実施形態おける第２監視部の動作処理手順の一例を示すフローチャートである。
【００３４】
本実施の形態に係る多重化装置１４は、少なくとも機器制御部（１ａ又は２ａ）を備えた２以上の電子機器１、２と、前記各電子機器１、２の稼動状態を監視する監視部（３ａ及び４ａの機能を有する３ａ又は４ａ）を備えた監視用電子機器（３又は４）と、前記電子機器１、２側に設けられ前記各電子機器１、２の稼働状態を各々表示する各機器用表示部（「ＦＡＵＬＴ―Ａ」、「ＦＡＵＬＴ―Ｂ」）と、前記各電子機器１、２における各機器制御部の相互間を接続する制御バス１３及び前記各電子機器１，２における各機器制御部１ａ、２ａと前記監視用電子機器（３又は４）における前記監視部（３ａ又は４ａ）とを接続する監視専用バス（１５及び１６）を備えているバス部１２と、を含むと共に当該バス部１２により前記各電子機器１、２を多重化してなるものを対象とする。
【００３５】
本実施の形態に係る多重化装置用故障発生順序表示における全体の動作処理手順は、基本的手順として、先ず、前記監視用電子機器（３又は４）における前記監視部（３ａ及び４ａの機能を有する３ａ又は４ａ）が、前記各電子機器１、２における各機器制御部１ａ、２ａをそれぞれ監視するとともに当該各電子機器１、２の故障発生順序を解析する（図３に示すステップＢ４及びステップＢ５からなる第１監視ステップと、ステップＢ２及びステップＢ３からなる第２監視ステップとからなるステップ：故障発生順序解析ステップないしは機能）。
【００３６】
ここで、この解析の結果又は電源投入直後において、前記監視部（３ａ又は４ａ）が、前記各電子機器１、２がそれぞれ動作していることを検知した場合に、前記監視用電子機器（３又は４）が備えている前記一の電子機器１に対応する一の故障表示灯（第１故障表示灯６など）から一の表示用光信号（青色光信号など）を出力する（図３に示すステップＡ８）とともに、前記監視用電子機器（３又は４）が備えている前記他の電子機器２に対応する他の故障表示灯（第２故障表示灯９など）から他の表示用光信号（青色光信号など）を出力する（図３に示すステップＡ５）。
このように、前記各電子機器１、２がそれぞれ正常に動作している場合にあっては、監視部は、各故障表示灯をそれぞれ正常稼働状態を示す同一色（例えば青など）で各々点灯制御するようにする。
一方、多重故障が発生した場合にあっては、前記故障発生順序解析ステップにおける解析に続いて、当該解析の結果、前記監視部（３ａ又は４ａ）が、前記各電子機器１、２のうち先に停止した一の前記電子機器１における前記機器制御部１ａを検出した場合に、前記監視用電子機器（３又は４）が備えている前記一の電子機器１に対応する一の故障表示灯（第１故障表示灯６など）から一の表示用光信号（赤色光信号など）を出力する（図３に示すステップＡ７の一部：第１光出力制御ステップないしは機能）。
【００３７】
次に、前記監視用電子機器（３又は４）における前記一の故障表示灯（第１故障表示灯６など）からの前記一の表示用光信号を一の光伝達部（プリズム状ミラー７及びプリズム状ミラー８）を介して前記一の電子機器１に対応する一の前記機器用表示部（第１制御部用表示部「ＦＡＵＬＴ―Ａ」）に向けて案内伝達する（図３に示すステップＡ７の一部：第１光信号伝達ステップないしは機能）。
【００３８】
更に続いて、前記解析の結果、前記監視部（３ａ又は４ａ）が、前記各電子機器１、２のうち次に停止した他の前記電子機器２における前記機器制御部２ａを検出した場合に、前記監視用電子機器（３又は４）が備えている前記他の電子機器２に対応する他の故障表示灯（第２故障表示灯９など）から前記一の表示用光信号と異なる他の表示用光信号（青色光信号など）を出力する（図３に示すステップＡ５の一部：第２光出力制御ステップないしは機能）。
【００３９】
しかる後、前記監視用電子機器（３又は４）における前記他の故障表示灯（第２故障表示灯９など）からの前記他の表示用光信号を他の光伝達部（プリズム状ミラー１０及びプリズム状ミラー１１）を介して前記他の電子機器２に対応する他の前記機器用表示部（第２制御部用表示部「ＦＡＵＬＴ―Ｂ」）に向けて案内伝達する（図３に示すステップＡ５の一部：第２光信号伝達ステップないしは機能）。
【００４０】
（詳細動作）
以下、これを詳述する。
多重化装置１４が始動すると、電子機器１における第１制御部１ａと電子機器２における第２制御部２ａは、システムバス１２内の制御バス１３を介して制御動作を開始する。
又、監視用電子機器３における第１監視部３ａは、第１制御部１ａと第２制御部２ａと第１監視部３ａを接続する第１監視バス１５を介して監視動作を開始する。
更に、第２監視部４ａは、第１制御部１ａと第２制御部２ａと第２監視部４ａを接続する第２監視バス１６を介して監視動作を開始する（図３のステップＡ１、図４のステップＣ１、及び図５のステップＥ１）。
【００４１】
多重化装置１４が始動すると、第１制御部１ａ及び第２制御部２ａは、システムバス１２内の第１識別子格納部１７若しくは第２識別子格納部１８からロケーションＩＤを取得する（図３のステップＡ２）。
【００４２】
多重化装置１４が始動すると、第１監視部３ａは、システムバス１２内の第１識別子格納部１７からロケーションＩＤ［１］を取得する（図３のステップＡ２、図３のステップＢ１、図３のステップＡ６、図４のステップＣ２、及び図４のステップＣ３）
【００４３】
第１監視部３ａは、第２制御部２ａが停止しているか否か確認し、第２制御部２ａが停止している場合は第２制御部２ａの停止確認動作を繰り返す（図４のステップＤ１）。
【００４４】
多重化装置１４は、第１監視部３ａにより第２制御部２ａが停止しているか否か確認し、第２制御部２ａが停止している場合はロケーションＩＤ確認を行う（図３のステップＢ４及びステップＢ１）。
【００４５】
第１監視部３ａは、第２制御部２ａが停止しているか否か確認する。この確認の結果、第２制御部２ａが動作しているときに、第１監視部３ａは更に第１制御部１ａが停止していないかチェックする。
第１制御部１ａが停止している場合、第１監視部３ａは第１故障表示灯６を赤点灯する。
第１故障表示灯６にて発した光は、監視部左プリズム状ミラー７と制御部左プリズム状ミラー８を経由して第１制御部１ａ側から出力する（図３のステップＢ４、図３のステップＢ５、図３のステップＡ７、図４のステップＤ１、図４のステップＤ２、図４のステップＣ４）。
【００４６】
第１制御部１ａが動作している場合、第１監視部３ａは第１故障表示灯６を青点灯する。
第１故障表示灯６にて発した光は、監視部左プリズム状ミラー７と制御部左プリズム状ミラー８を経由して第１制御部１ａ側から出力する（図３のステップＢ４、ステップＢ５、ステップＡ８、図４のステップＤ１、ステップＤ２、及びステップＣ５）
【００４７】
次に、多重化装置１４が始動すると、第２監視部４ａはシステムバス１２内の第２識別子格納部１８からロケーションＩＤ［２］を取得する（図３のステップＡ２、ステップＢ１及びステップＡ３、又は、図５のステップＥ２及びステップＥ３）。
【００４８】
第２監視部４ａは、第１制御部１ａが停止しているか否か確認し、第１制御部１ａが停止している場合は第１制御部１の停止確認動作を繰り返す（図５のステップＦ１）。
【００４９】
多重化装置１４は、第２監視部４ａにより第１制御部１ａが停止しているか否か確認し、第１制御部１ａが停止している場合はロケーションＩＤ確認を行う（図３のステップＢ２、及び図３のステップＢ１）。
【００５０】
第２監視部４ａは、第１制御部１ａが停止しているか否か確認する。この確認の結果、第１制御部１ａが動作しているときに、第２制御部２ａが停止していないかチェックする。
第２制御部２ａが停止している場合は、第２監視部４ａは第２故障表示灯９を赤点灯する（図３のステップＢ４、ステップＢ５、ステップＡ４、図５のステップＦ１、ステップＦ２、及びステップＥ４）。
【００５１】
第２故障表示灯９にて発した光は、監視部右プリズム状ミラー１０と制御部右プリズム状ミラー１１を経由して第２制御部２ａ側から出力する（図３のステップＢ２、ステップＢ３、ステップＡ４、図５のステップＦ１、ステップＦ２、及びステップＥ４）。
【００５２】
第２制御部２ａが動作している場合は、第２故障表示灯９を青点灯する。
第２故障表示灯９にて発した光は、監視部右プリズム状ミラー１０と制御部右プリズム状ミラー１１を経由して第２制御部２ａ側から出力する（図３のステップＢ２、ステップＢ３、ステップＡ５、図５のステップＦ１、ステップＦ２、及びステップＥ５）。
【００５３】
前記故障表示動作によると、先に故障した制御部側は赤点灯し、後から停止した制御部側は青点灯したままとなる。これがために、制御部の多重故障が発生した場合において、制御部の故障順序を後から目視で確認することが可能となり、二重化装置の多重故障における保守作業効率が改善され、また装置の稼動効率も改善される。
【００５４】
このように、本第１実施形態によれば、電子機器を構成する制御回路及び記憶回路などの機器制御部の高速化に伴って生じる多重故障の増大に対して各電子機器の故障発生順序を専用に監視し多重故障の際にも継続稼動する監視用電子機器を装備しこの監視用電子機器には多重故障の際にも稼動可能な故障表示灯が備えられておりこの故障表示灯から故障に影響しない光伝達部を介して各機器用表示部に故障発生順序を表示するようにしたので、多重故障に対してその故障発生順序をリアルタイムで目視にて確認可能となり、多重故障発生時の対応の簡略化及び効率化ができる
【００５５】
すなわち、第１の効果は、二重化装置の多重故障が発生した場合にあって、故障順序特定が容易になることである。
又、第２の効果は、二重化装置において多重故障発生後の故障箇所切り分け時間の短縮効果を有する点にある。
更に、第３の効果は、二重化装置において監視バス閉塞させず、確実に故障検知することでシステム安定動作を実現する点である。
【００５６】
また、正常側からシステムバスを介する電気的信号により故障側にランプ表示させるシステムと比較すると、システムバスの構成が小さくなり信頼性向上の効果も期待できる。
【００５７】
更に、冗長化部品故障検知時の故障状況表示動作において、故障が発生した順序を各監視部が自動解析し、その自動解析した故障順序情報に基いて故障箇所を自動選択・自動表示することにより関連技術の手法と比較し、より正確に故障箇所を特定することが可能となる。
【００５８】
また、前記各効果により、冗長化部品の故障箇所切り分け作業にあって、短時間かつ容易に故障箇所を特定し、故障した部品交換に要する作業時間を短縮させる特徴を有する。
【００５９】
さらに、各制御部の制御部の故障モードが固定の故障モードではなく間欠の故障モードであった場合で制御部が独自に自動再試行・自動再起動をするケースを考えると、多重故障後に各制御部が独自に自動再試行・自動再起動してしまう為、故障順序が特定できなくなるケースがある。
【００６０】
このようなケースであっても、後から故障順序を確認できるよう、各監視部の故障表示灯に例えば一定時間はランプの色を変化させない等のヒステリシスを持たせることで、故障順序情報を後から確認することが可能となる。
すなわち、この場合、前記点灯制御機能部が、前記各電子機器が自動的に再起動される際に、前記故障情報が前記各機能表示部にて一定時間保持されるように前記各故障表示灯を点灯制御すればよい。
【００６１】
又、制御バスと監視バスとを共有する関連技術のバス部では、システムバス停止から監視機構停止を招く可能性を示唆しており、システムバスを共用する制御部等冗長部品の多重故障とは全く別に、監視機構が停止し故障ランプが点灯しない不都合が生じ易い。
【００６２】
これに対して本実施の形態では、監視部の監視専用バスは、制御バスとは独立して分離されていることから、前記多重故障にかかわらず監視が可能となる。
【００６３】
更に又、二重化装置に二つの監視機構を有する構成にあって、監視バスを共有することも前記多重故障と同様、監視バス停止から両監視機構停止を招く可能性を示唆しており、前記監視バス停止あっては、システムバスを共用する制御部等冗長部品の多重故障とは全く別に、両方の監視機構が停止し両方の監視機構の有する故障ランプが点灯しない不都合を有することが考えられる。
【００６４】
これに対して本実施の形態では、各監視部の監視専用バスは、第１監視バスと第２監視バス分離されていることから、お互いの監視部は独立動作が可能であり、監視バス内の要素数も最小である。前記構成により監視ロジックの簡素化を実現し監視バス停止となる確率も最小化される。
【００６５】
さらに、プリズム状ミラーによる光接続とループ状光経路による光接続を組み合わせることも可能であり、前記組み合わせによるとレイアウトの自由度が高くなり、様々な配置構成をとることが可能となる。
【００６６】
又、本実施の形態では、構成としてデルタ形状の短辺が接するデルタ形状の短辺の間には媒質が無く、光は拡散させず確実に相手側モジュールに到達する効果を有する。
更に、デルタ−デルタ間に光誘導経路がある場合にあってもデルタ形状の短辺−デルタ形状の短辺間の媒質とデルタ形状の媒質の屈折率は（ほぼ）同じであり、前記と同様に光を拡散させず確実な相手側モジュールへの伝達効果を有する。
このように、拡散させず確実に伝達することができる。
【００６７】
更に又、特許文献２では、ＳＶＣｘ―ＣＭｘ間のバスは、システムバスと分離されておらず、ＳＶＣｘ故障やＣＭｘ故障によりシステムバス停止となってしまった場合、ＣＭｘ相互監視不能／ＣＭｘ全停止となり、システム停止となる問題点も有している。
これに対して本実施の形態では、構成として監視バスとシステムバスを分離しており、前記全システム停止となる可能性は低く、制御部（ＣＭｘ）多重故障にあっても監視部を分離しクロスチェックするので故障順序を特定可能、故障箇所切り分け時間は最小となる。
【００６８】
又、本実施の形態では、構成として光接続・プリズム伝送であるのでドライバ回路及びレシーバ回路が必要ではなく電気回路の規模は最小・故障率も最小となる。
又、光ケーブルで接続し別筐体間の状態を伝送する場合、数メートル〜数十メートルの長距離伝送を行うとしてもデータ化け対策は必要ない。
【００６９】
又、関連技術では、監視バスと制御バスを分離していない為、制御部故障からシステムバス停止する可能性が高くなる。また、故障順序制御が無く制御部多重故障した場合、全制御部が故障表示となる。さらには、制御部多重故障で各制御部故障にタイムラグがあり、故障順序が重要な意味を持つ場合にあっても、制御部動作速度が速い場合、現地到着した際には多重故障となってしまう為、どちらの制御部が先に故障したのか特定できない。
【００７０】
これに対して本実施の形態では、構成として監視バスとシステムバスを分離しており、監視バスを２重化している為、制御部故障から監視部停止となる確率は小さい。
又、故障順序制御を有しており、制御部多重故障した場合、故障順序が特定可能である。
さらに、故障ランプ制御にヒステリシス動作を導入することで、多重故障時に全制御部が自動再起動されるシステムにあっても、後からランプ確認が可能となる。
【００７１】
また、上記の説明において、上述した各ステップの動作内容及び各部の構成要素並びにそれらによる各機能をプログラム化（ソフトウエアプログラム）し、コンピュータに実行させてもよい。そのプログラムは記憶媒体から読み出して実行させてもよい。
【００７２】
［第２の実施の形態］
次に、本発明にかかる第２の実施の形態について、図６乃至図７に基づいて説明する。図６は、本発明の第２実施形態による多重化装置の全体構成の一例を示す説明図である。図７は、図６の多重化装置の詳細構成の一例を示す説明図である。
【００７３】
本第２実施形態では、監視部及び制御部の積層順が異なる点、一制御部につき表示部を２つ有する点、第１監視バス及び第２監視バスの接続構造が異なる点が第１の実施の形態と異なる。
【００７４】
具体的には、図６乃至図７を参照すると、本第２実施形態の多重化装置４１は、一の電子機器２１における第１制御部２１ａ、前記一の電子機器２１に対応する一の監視用電子機器２３における第１監視部２３ａ、他の電子機器２２に対応する他の監視用電子機器２４における第２監視部２４ａ、他の電子機器２２における第２制御部２２ａがこの順で積層配置されている。
【００７５】
又、前記一方の電子機器２１の機器用表示部を、一方の第１表示部（「ＦＡＵＬＴ―Ａ」）とこの一方の第１表示部（「ＦＡＵＬＴ―Ａ」）と同等に機能する一方の第２表示部（「ＦＡＵＬＴ―Ｃ」）とにより構成している。
同様に、前記他方の電子機器２２の機器用表示部を、他方の第１表示部（「ＦＡＵＬＴ―Ｂ」）とこの他方の第１表示部（「ＦＡＵＬＴ―Ｂ」）と同等に機能する他方の第２表示部（「ＦＡＵＬＴ―Ｄ」）とにより構成している。
【００７６】
又、監視用電子機器２３に、一方の電子機器２１に対応して設けられ第１監視部２３ａでの監視結果に応じて表示発光する第１故障表示灯２５（本発明にいう「第１故障表示灯」）と、他方の電子機器２２に対応して設けられ第１監視部２３ａでの監視結果に応じて表示発光する第４故障表示灯２８（本発明にいう「第２故障表示灯」）とを併設している。  
【００７７】
更に、監視用電子機器２４に、他方の電子機器２２に対応して設けられ第２監視部２４ａでの監視結果に応じて表示発光する第２故障表示灯２６（本発明にいう「第１故障表示灯」）と、一方の電子機器２１に対応して設けられ第２監視部２４ａでの監視結果に応じて表示発光する第３故障表示灯２７（本発明にいう「第２故障表示灯」）とを併設している。  
ここで、本実施の形態の第１故障表示灯２５、第２故障表示灯２６、第３故障表示灯２７、第４故障表示灯２８と、本発明にいう「第１故障表示灯」と「第２故障表示灯」との対応関係に留意すべきである。実施形態の下位概念としての故障表示灯を示す順位番号と請求項で定義されている上位又は中位概念としての故障表示灯を示す順位番号とは必ずしも一致するとは限らない。
【００７８】
前記一方と他方の電子機器２１、２２の積層配置に際しては、前記一方の電子機器２１における第２表示部（「ＦＡＵＬＴ―Ｃ」）が当該一方の電子機器２１における積層方向の外端部に配設される。
又、前記他方の電子機器２２における第２表示部（「ＦＡＵＬＴ―Ｄ」）が当該他方の電子機器２２における積層方向の外端部に配設される。
【００７９】
又、多重化装置４１における光伝達部は、前記監視用電子機器２３における前記故障表示灯（第１故障表示灯２５）からの出力光を一方の前記電子機器２１に装備された第１表示部（「ＦＡＵＬＴ―Ａ」）に向けて案内し伝達する第１の他電子機器用光伝達部（第１制御部右プリズム状ミラー２９、第１制御部右プリズム状ミラー３０、第１制御部右プリズム状ミラー３１）を備える。
【００８０】
更に、多重化装置４１における光伝達部は、前記監視用電子機器２３における前記第２故障表示灯（第４故障表示灯２８）からの出力光を他方の前記電子機器２２に装備された第２表示部（「ＦＡＵＬＴ―Ｄ」）に向けて案内し伝達する第２の他電子機器用光伝達部（第２制御部左プリズム状ミラー３８、第２制御部左プリズム状ミラー３９、第２制御部上プリズム状ミラー４０）を備える。
【００８１】
又、多重化装置４１における光伝達部は、前記監視用電子機器２４における前記故障表示灯（第２故障表示灯２６）からの出力光を他方の前記電子機器２２に装備された第１表示部（「ＦＡＵＬＴ―Ｂ）に向けて案内し伝達する第３の他電子機器用光伝達部（第２制御部左プリズム状ミラー３２、第２制御部左プリズム状ミラー３３、第２制御部左プリズム状ミラー３４）を備える。
【００８２】
更に、多重化装置４１における光伝達部は、前記監視用電子機器２４における前記第２故障表示灯（第３故障表示灯２７）からの出力光を一方の前記電子機器２１に装備された第２表示部（「ＦＡＵＬＴ―Ｃ」）に向けて案内し伝達する第４の他電子機器用光伝達部（第１制御部右プリズム状ミラー３５、第１制御部右プリズム状ミラー３６、第１制御部下プリズム状ミラー３７）を備える。
【００８３】
又、これらの前記各他電子機器用光伝達部は、前記各表示部の配置に対応して配設され、一部にループ状光経路を有する。
【００８４】
更に、多重化装置４１におけるシステムバス２０は、制御バス４２と第１監視バス４３と第２監視バス４４と第１識別子格納部４５と第２識別子格納部４６とを含む。
第１監視バス４３は、前記電子機器２１における第１制御部２１ａ（機器制御部）と電子機器２２における第２制御部２２ａ（機器制御部）と第１監視部２３ａと第２監視部２４ａとを接続するものである。
第２監視バス４４は、前記第１監視バス４３と独立した伝送経路にて、前記電子機器２１における第１制御部２１ａ（機器制御部）と電子機器２２における第２制御部２２ａ（機器制御部）と第１監視部２３ａと第２監視部２４ａとを接続するものである。
【００８５】
（動作処理手順について）
次に、上述のような構成を有する多重化装置４１における動作処理手順について、図６乃至図７及び図８乃至図１０のフローチャートを参照しつつ説明する。
【００８６】
多重化装置４１が始動すると第１制御部２１ａと第２制御部２２ａはシステムバス２０内の制御バス４２を介して制御動作を開始する。
第１監視部２３ａは、第１制御部２１ａと第２制御部２２ａと第１監視部２３ａを結ぶ第１監視バス４３を介して監視動作を開始する。
第２監視部２４ａは、第１制御部２１ａと第２制御部２２ａと第２監視部２４ａを結ぶ第２監視バス４４を介して監視動作を開始する（図８のステップＧ１、図９のステップＪ１、図１０のステップＬ１）。
【００８７】
多重化装置４１が始動すると、第１制御部２１ａ、第２制御部２２ａ、第１監視部２３ａ、第２監視部２４ａは、システムバス２０内の第１識別子格納部４５若しくは第２識別子格納部４６からロケーションＩＤを取得する（図９のステップＪ２、及び図１０のステップＬ２）。
【００８８】
多重化装置４１が始動すると第１制御部２１ａ及び第１監視部２３ａは、システムバス２０内の第１識別子格納部４５からロケーションＩＤ［１］を取得する（図９のステップＪ３）。
【００８９】
多重化装置４１が始動すると第２制御部２２ａ及び第２監視部２４ａは、システムバス２０内の第２識別子格納部４６からロケーションＩＤ［２］を取得する（図１０のステップＬ３）。  
【００９０】
多重化装置４１は、第１制御部２１ａが停止しているか否か確認する。
第１制御部２１ａが停止している場合、更に第２制御部２２ａが停止しているか否か確認し、第２制御部２２ａも停止している場合、何もせず第１制御部２１ａが停止しているか否か確認する（図８のステップＨ１、及びステップＨ３）。
【００９１】
第１監視部２３ａは、第１制御部２１ａが停止しているか否か確認する。
第１制御部２１ａが停止している場合、更に第２制御部２２ａが停止しているか否か確認し、第２制御部２２ａも停止している場合、何もせず第１制御部２１ａが停止しているか否か確認する（図９のステップＫ１、及びステップＫ３）。
【００９２】
第２監視部２４ａは、第１制御部２１ａが停止しているか否か確認し、第１制御部２１ａが停止している場合は第２制御部２２ａが停止しているか否か確認し、第２制御部２２ａも停止している場合は、何もせず第１制御部２１ａが停止しているか否か確認する（図１０のステップＭ１及び図１０のステップＭ３）。
【００９３】
多重化装置４１は、第１制御部２１ａが停止していない場合、第２制御部２２ａが停止しているか否か確認し、第２制御部２２ａが停止している場合は、第２故障表示灯２６と第４故障表示灯２８を赤点灯する。
第２故障表示灯２６を発した光は、第２制御部左プリズム状ミラー３２と第２制御部左プリズム状ミラー３３と第２制御部左プリズム状ミラー３４を経由して第２制御部２２ａ側から出力する。
第４故障表示灯２８を発した光は、第２制御部左プリズム状ミラー３８と第２制御部左プリズム状ミラー３９と第２制御部上プリズム状ミラー４０を経由して第２制御部２２ａ側から出力する（図８のステップＨ１、ステップＨ２、及び図８のステップＧ２）。
【００９４】
多重化装置４１は、第１制御部２１ａが停止していない場合、第２制御部２２ａが停止しているか否か確認し、第２制御部２２ａが停止していない場合は、第２故障表示灯２６と第４故障表示灯２８を青点灯させる。
第２故障表示灯２６を発した光は、第２制御部左プリズム状ミラー３２と第２制御部左プリズム状ミラー３３と第２制御部左プリズム状ミラー３４を経由して第２制御部２２ａ側から出力する。
第４故障表示灯２８を発した光は、第２制御部左プリズム状ミラー３８と第２制御部左プリズム状ミラー３９と第２制御部上プリズム状ミラー４０を経由して第２制御部２２ａ側から出力する（図８のステップＨ１、ステップＨ２、及びステップＧ３）。
【００９５】
第１監視部２３ａは、第１制御部２１ａが停止していない場合、第２制御部２２ａが停止しているか否か確認し、第２制御部２２ａが停止している場合は、第４故障表示灯２８を赤点灯させる。
【００９６】
第４故障表示灯２８を発した光は、第２制御部左プリズム状ミラー３８と第２制御部左プリズム状ミラー３９と第２制御部上プリズム状ミラー４０を経由して第２制御部２２ａ側から出力される（図９のステップＫ１、ステップＫ２、及びステップＪ４）。
【００９７】
第１監視部２３ａは、第１制御部２１ａが停止していない場合、第２制御部２２ａが停止しているか否か確認し、第２制御部２２ａが停止していない場合は、第４故障表示灯２８を青点灯させる。
第４故障表示灯２８を発した光は、第２制御部左プリズム状ミラー３８と第２制御部左プリズム状ミラー３９と第２制御部上プリズム状ミラー４０を経由して第２制御部２２ａ側から出力する（図９のステップＫ１、ステップＫ２、及びステップＪ５）。
【００９８】
第２監視部２４ａは、第１制御部２１ａが停止していない場合、第２制御部２２ａが停止しているか否か確認し、第２制御部２２ａが停止している場合は、第２故障表示灯２６を赤点灯する。
第２故障表示灯２６にて発した光は、第２制御部左プリズム状ミラー３２と第２制御部左プリズム状ミラー３３と第２制御部左プリズム状ミラー３４を経由して第２制御部２２ａ側から出力する（図１０のステップＭ１、ステップＭ２、及びステップＬ４）。
【００９９】
第２監視部２４ａは、第１制御部２１ａが停止していない場合、第２制御部２２ａが停止しているか否か確認し、第２制御部２２ａが停止していない場合は、第２故障表示灯２６を青点灯させる。
第２故障表示灯２６にて発した光は、第２制御部左プリズム状ミラー３２と第２制御部左プリズム状ミラー３３と第２制御部左プリズム状ミラー３４を経由して第２制御部２２ａ側から出力する（図１０のステップＭ１、ステップＭ２、及びステップＬ５）。
【０１００】
多重化装置４１は、第２制御部２２ａが動作している場合、第１制御部２１ａが停止しているか否か確認し、第１制御部２１ａが停止している場合は、第１故障表示灯２５と第３故障表示灯２７とを赤点灯する。
第１故障表示灯２５を発した光は、第１制御部右プリズム状ミラー２９と第１制御部右プリズム状ミラー３０と第１制御部右プリズム状ミラー３１を経由して第１制御部２１ａ側から出力する。
第３故障表示灯２７を発した光は、第１制御部右プリズム状ミラー３５と第１制御部右プリズム状ミラー３６と第１制御部下プリズム状ミラー３７を経由して第１制御部２１ａ側から出力する（図８のステップＨ３、ステップＨ４、及びステップＧ４）。
【０１０１】
多重化装置４１は、第２制御部２２ａが動作している場合、第１制御部２１ａが停止しているか否か確認し、第１制御部２１ａが停止していない場合は、第１故障表示灯２５と第３故障表示灯２７とをそれぞれ青点灯する。
第１故障表示灯２５にて発した光は、第１制御部右プリズム状ミラー２９と第１制御部右プリズム状ミラー３０と第１制御部右プリズム状ミラー３１を経由して第１制御部２１ａ側から出力する。
第３故障表示灯２７にて発した光は、第１制御部右プリズム状ミラー３５と第１制御部右プリズム状ミラー３６と第１制御部下プリズム状ミラー３７を経由して第１制御部２１ａ側から出力する（図８のステップＨ３、ステップＨ４、及びステップＧ５）。
【０１０２】
第１監視部２３ａは、第２制御部２２ａが停止していない場合、第１制御部２１ａが停止しているか否か確認し、第１制御部２１ａが停止している場合は、第１故障表示灯２５を赤点灯する。
第１故障表示灯２５にて発した光は、第１制御部右プリズム状ミラー２９と第１制御部右プリズム状ミラー３０と第１制御部右プリズム状ミラー３１を経由して第１制御部２１ａ側から出力する（図９のステップＫ３、ステップＫ４、及びステップＪ６）。
【０１０３】
第１監視部２３ａは、第２制御部２２ａが停止していない場合、第１制御部２１ａが停止しているか否か確認し、第１制御部２１ａが停止していない場合は、第１故障表示灯２５を青点灯させる。
第１故障表示灯２５にて発した光は、第１制御部右プリズム状ミラー２９と第１制御部右プリズム状ミラー３０と第１制御部右プリズム状ミラー３１を経由して第１制御部２１ａ側から出力する（図９のステップＫ３、ステップＫ４、及びステップＪ７）。
【０１０４】
第２監視部２４ａは、第２制御部２２ａが停止していない場合、第１制御部２１ａが停止しているか否か確認し、第１制御部２１ａが停止している場合は、第３故障表示灯２７を赤点灯する。
第３故障表示灯２７を発した光は、第１制御部右プリズム状ミラー３５と第１制御部右プリズム状ミラー３６と第１制御部下プリズム状ミラー３７を経由して第１制御部２１ａ側から出力する（図１０のステップＭ３、ステップＭ４、及びステップＬ６）。
【０１０５】
第２監視部２４ａは、第２制御部２２ａが停止していない場合、第１制御部２１ａが停止しているか否か確認し、第１制御部２１ａが停止していない場合は、第３故障表示灯２７を青点灯する。
第３故障表示灯２７を発した光は、第１制御部右プリズム状ミラー３５と第１制御部右プリズム状ミラー３６と第１制御部下プリズム状ミラー３７を経由して第１制御部２１ａ側から出力する（図１０のステップＭ３、ステップＭ４、及びステップＬ７）。
【０１０６】
以上で説明したように、本第２の実施の形態によると、第１監視部が故障した場合にあっても第２監視部が動作継続することにより故障表示動作が中断しないメリットを有している。
【０１０７】
また、故障表示灯が各制御部に２個用意されている為、故障表示灯が１個故障した場合にあっても故障表示動作を継続できるメリットも有している。更に、表示部を第１の電子機器２１の下側および第２の電子機器２２の上側にそれぞれその大部分領域にわたって設置し得るので、故障表示の自由度があり、従って故障表示の多様性に有効に対応することができるという利点がある。
【０１０８】
その他の構成およびその他のステップないしは機能並びにその作用効果については、前述した第１実施形態の場合と同一となっている。また、上記の説明において、上述した各ステップの動作内容及び各部の構成要素並びにそれらによる各機能をプログラム化（ソフトウエアプログラム）し、コンピュータに実行させてもよい。
【０１０９】
［第３の実施の形態］
次に、本発明にかかる第３の実施の形態について、図１１及び図１２に基づいて説明する。図１１は、本発明の第３実施形態による多重化装置の全体構成の一例を示す説明図である。図１２は、図１１の多重化装置の詳細構成の一例を示す説明図である。
【０１１０】
本第３の実施の形態では、２×２並列構造となっている点が第２の実施の形態と異なる。
具体的には、図１１乃至図１２を参照すると、本第３実施形態の多重化装置６７は、一の電子機器５１における第１制御部５１ａと当該一の電子機器５１に対応する一の監視用電子機器５３における第１監視部５３ａとが第１層に配置される。
又、多重化装置６７は、他の電子機器５２における第２制御部５２ａと当該他の電子機器５２に対応する他の監視用電子機器５４における第２監視部５４ａとが第２層に配置される。
【０１１１】
これに伴い、システムバス５０の制御バス６８と第１監視バス６９と第２監視バス７０のそれぞれの形状が第２の実施の形態と異なる。
第１監視バス６９は、断面略Ｌ字状に構成され、第１制御部５１ａと第２制御部５２ａと第１監視部５３ａとを接続する。
第２監視バス７０は、第１監視バス６９とは向きが反対の断面略Ｌ字状に構成され、第１制御部５１ａと第２制御部５２ａと第２監視部５４ａとを接続する。
制御バス６８は、第１監視バス６９と第２監視バス７０との間を斜めに配置されている。
【０１１２】
又、多重化装置６７は、第１表示部（「ＦＡＵＬＴ―Ａ」）及び第２表示部（「ＦＡＵＬＴ―Ｃ」）は第１層に構成され、第１表示部（「ＦＡＵＬＴ―Ｂ）及び第２表示部（「ＦＡＵＬＴ―Ｄ」）は第２層に構成される。
多重化装置６７は、更に、第２層に第２故障表示灯５６と第３故障表示灯５７とを有し、第１層に第１故障表示灯５５と第４故障表示灯５８を有する。
【０１１３】
又、多重化装置６７における第１の他電子機器用光伝達部は、第１制御部左プリズム状ミラー５９を備える。
更に、第２の他電子機器用光伝達部は、一部に光ファイバーのループ状光経路を含み、第２制御部左光経路クラッド６４と第２制御部左光経路コア６５と第２制御部左プリズム状ミラー６６を備える。
又、第３の他電子機器用光伝達部は、第２制御部右プリズム状ミラー６０を備える。
更に、第４の他電子機器用光伝達部は、一部に光ファイバーのループ状光経路を含み、第１制御部右光経路クラッド６１と第１制御部右光経路コア６２と第１制御部右プリズム状ミラー６３とを備える。
【０１１４】
システムバス５０内には、第１識別子格納部７１と第２識別子格納部７２とを有する。
【０１１５】
前記各光経路クラッド及びに光経路コア（光ファイバー）に入射した光は光経路コア内で反射を繰り返し、各制御部側プリズム状ミラーから光出力される。
【０１１６】
次に、上述のような構成を有する多重化装置６７における動作処理手順は、光ファイバー及びプリズム状ミラーを通じて光信号を出力する点（図１３に示すステップＮ２、Ｎ４、図１４に示すステップＱ４、図１５に示すステップＳ６）の他は、第２の実施の形態と同様である。
【０１１７】
以上で説明したように、本第３実施形態によると、装置の高さを低く抑え、薄型・小型化することが可能である。
又、本第３実施形態にあっては、故障発生順序を含む故障情報を光ファイバーにて伝達することから、各制御部及び各監視部をそれぞれ光ファイバーで接続し、各制御部及び各監視部がシステムバス接続できる範囲であれば、二重化装置の各制御部及び各監視部は必ずしも上下左右（若しくは前後）に接合される必要は無く、各制御部及び各監視部を離隔して設置することも可能となる。
【０１１８】
前記から、将来システムバスを電気的接続ではなく光接続とした場合にあって、さらにレイアウトの自由度が高くなる。
【０１１９】
その他の構成およびその他のステップないしは機能並びにその作用効果については、前述した第２実施形態の場合と同一となっている。また、上記の説明において、上述した各ステップの動作内容及び各部の構成要素並びにそれらによる各機能をプログラム化（ソフトウエアプログラム）し、コンピュータに実行させてもよい。
【０１２０】
［第４の実施の形態］
次に、本発明にかかる第４の実施の形態について、図１６及び図１７に基づいて説明する。図１６は、本発明の第４実施形態による多重化装置の全体構成の一例を示す説明図である。図１７は、図１６の多重化装置の詳細構成の一例を示す説明図である。
【０１２１】
本第４の実施の形態では、記憶用電子機器をさらに多重化した点が第２の実施の形態と異なる。
【０１２２】
具体的には、図１６乃至図１７を参照すると、本第４実施形態の多重化装置１００は、データ記憶専用の記憶用電子機器８５における第１記憶部８５ａを電子機器８１における第１制御部８１ａに対応するようにして最下層に配置し、データ記憶専用の記憶用電子機器８６における第２記憶部８６ａを電子機器８２における第２制御部８２ａに対応するようにして最上層に配置している。
【０１２３】
この場合、監視用電子機器８３における第１監視部８３ａ及び監視用電子機器８４における第２監視部８４ａが、前記記憶用電子機器８５、８６の稼働状態をも監視し前記記憶用電子機器８５、８６及び前記電子機器８１、８２を含めた故障発生順序を解析する機能を備えてよい。
【０１２４】
多重化装置１００は、第１層に記憶用電子機器８５における第１記憶部８５ａ、第２層に監視用電子機器８３における第１監視部８３ａ、第３層に電子機器８１における第１制御部８１ａ、第４層に電子機器８２における第２制御部８２ａ、第５層に監視用電子機器８４における第２監視部８４ａ、第６層に記憶用電子機器８６における第２記憶部８６ａを備える。
【０１２５】
又、多重化装置１００は、一方の電子機器８１に関連する第１表示部（「ＦＡＵＬＴ―Ａ」）は第３層に構成され、一方の記憶用電子機器８５に関連する第３表示部（「ＦＡＵＬＴ―Ｅ」）は第１層に構成される。
更に、多重化装置１００は、他方の電子機器８２に関連する第１表示部（「ＦＡＵＬＴ―Ｂ」）は第４層に構成され、他方の記憶用電子機器８６に関連する第３表示部（「ＦＡＵＬＴ―Ｆ」）は第６層に構成される。
【０１２６】
多重化装置１００は、更に、第２層に第１故障表示灯８７と第５故障表示灯９３とを有し、第５層に第２故障表示灯９０と第６故障表示灯９６を有する。
【０１２７】
又、多重化装置１００における光伝達部は、一方の監視用電子機器８３における前記故障表示灯（第１故障表示灯８７）からの出力光（表示用光信号）を一方の前記電子機器８１に装備された第１表示部（「ＦＡＵＬＴ―Ａ」）に向けて案内し伝達する第１の他電子機器用光伝達部（第１監視部左プリズム状ミラー８８、第１制御部左プリズム状ミラー８９）を備える。
【０１２８】
更に、多重化装置１００における光伝達部は、一方の監視用電子機器８３における前記第３故障表示灯（第５故障表示灯９３）からの出力光を一方の記憶用電子機器８５に装備された第３表示部（「ＦＡＵＬＴ―Ｅ」）に向けて案内し伝達する第５の他電子機器用光伝達部（第１監視部右プリズム状ミラー９４、第１記憶部右プリズム状ミラー９５）を備える。
【０１２９】
又、多重化装置１００における光伝達部は、他方の監視用電子機器８４における前記故障表示灯（第２故障表示灯９０）からの出力光を他方の前記電子機器８２に装備された第１表示部（「ＦＡＵＬＴ―Ｂ）に向けて案内し伝達する第３の他電子機器用光伝達部（第２監視部右プリズム状ミラー９１と第２制御部右プリズム状ミラー９２）を備える。
【０１３０】
更に、多重化装置１００における光伝達部は、他方の監視用電子機器８３における前記第３故障表示灯（第６故障表示灯９６）からの出力光を他方の記憶用電子機器８６に装備された第３表示部（「ＦＡＵＬＴ―Ｆ」）に向けて案内し伝達する第６の他電子機器用光伝達部（第２監視部左プリズム状ミラー９７、第２記憶部左プリズム状ミラー９８）を備える。
【０１３１】
又、多重化装置１００のシステムバス９９は、第１監視バス１０３と第２監視バス１０４と制御バス１０５と第１識別子格納部１０１と第２識別子格納部１０２により構成される。
制御バス１０５は、第１制御部８１ａと第２制御部８２ａと第１記憶部８５ａと第２記憶部８６ａと第１監視部８３ａと第２監視部８４ａとを結ぶ。
第１監視バス１０３は、制御バス１０５とは独立して形成され、第１制御部８１ａと第２制御部８２ａと第１記憶部８５ａと第２記憶部８６ａと第１監視部８３ａと第２監視部８４ａとを結ぶ。
第２監視バス１０４は、第１監視バス１０３とは独立して形成され、第１制御部８１ａと第２制御部８２ａと第１記憶部８５ａと第２記憶部８６ａと第１監視部８３ａと第２監視部８４ａとを結ぶ。
【０１３２】
（動作処理手順について）
次に、上述のような構成を有する多重化装置１００における動作処理手順について、図１６乃至図１７及び図１８乃至図２０を参照して詳細に説明する。
【０１３３】
多重化装置１００が始動すると第１制御部８１ａ及び第２制御部８２ａ及び第１記憶部８５ａ及び第２記憶部８６ａは、システムバス９９内の制御バス１０５を介して制御動作並びに記憶動作を開始する。
又、第１監視部８３ａは、第１制御部８１ａ及び第２制御部８２ａ及び第１記憶部８５ａ及び第２記憶部８６ａ及び第１監視部８３ａを結ぶ第１監視バス１０３を介して監視動作を開始する。
更に、第２監視部８４ａは、第１制御部８１ａ及び第２制御部８２ａ及び第１記憶部８５ａ及び第２記憶部８６ａと第２監視部８４ａを結ぶ第２監視バス１０４を介して監視動作を開始する。（図１８のステップＵ１、図１９のステップＶ１、及び図２０のステップＷ１）
【０１３４】
多重化装置１００が始動すると第１制御部８１ａ及び第１監視部８３ａは、システムバス９９内の第１識別子格納部１０１からロケーションＩＤ［１］を取得する（図１９のステップＶ２）。
【０１３５】
多重化装置１００が始動すると第２制御部８２ａ及び第２監視部８４ａは、システムバス９９内の第２識別子格納部１０２からロケーションＩＤ［２］を取得する（図２０のステップＷ２）。
【０１３６】
多重化装置１００は第１制御部８１ａが停止しているか否か確認し、第１制御部８１ａが停止している場合は第２制御部８２ａが停止しているか否か確認し、第２制御部８２ａも停止している場合は、第２記憶部８６ａが停止しているか否か確認する（図１８のステップＸ１、図１８のステップＸ３、及び図１８のステップＸ５）。
【０１３７】
多重化装置１００は第２記憶部８６ａが停止しているか否か確認し、第２記憶部８６ａが停止している場合は第１記憶部８５ａが停止しているか否か確認し、第１記憶部８５ａも停止している場合は、第１制御部８１ａが停止しているか否か確認する（図１８のステップＸ５及び図１８のステップＸ７及び図１８のステップＸ１）。
【０１３８】
多重化装置１００は第１制御部８１ａが停止していない場合、第２制御部８２ａが停止しているか否か確認し、第２制御部８２ａが停止している場合は、第２故障表示灯９０を赤点灯する。
第２故障表示灯９０を発した光は、第２監視部右プリズム状ミラー９１と第２制御部右プリズム状ミラー９２を経由して第２制御部８２ａ側から出力される（図１８のステップＸ１、ステップＸ２、及びステップＵ２）。
【０１３９】
多重化装置１００は第１制御部８１ａが停止していない場合、第２制御部８２ａが停止しているか否か確認し、第２制御部８２ａが停止していない場合は、第２故障表示灯９０を青点灯させる。
第２故障表示灯９０を発した光は、第２監視部右プリズム状ミラー９１と第２制御部右プリズム状ミラー９２を経由して第２制御部８２ａ側から出力される（図１８のステップＸ１、ステップＸ２、及びステップＵ３）。
【０１４０】
多重化装置１００は第２制御部８２ａが停止していない場合、第１制御部８１ａが停止しているか否か確認し、第１制御部８１ａが停止している場合は、第１故障表示灯８７を赤点灯させる。第１故障表示灯８７を発した光は第１監視部左プリズム状ミラー８８と第１制御部左プリズム状ミラー８９を経由して第１制御部８１ａ側から出力される（図１８のステップＸ３、ステップＸ４、及びステップＵ４）。
【０１４１】
多重化装置１００は第２制御部８２ａが停止していない場合、第１制御部８１ａが停止しているか否か確認し、第１制御部８１ａが停止していない場合は、第１故障表示灯８７を青点灯させる。第１故障表示灯８７を発した光は第１監視部左プリズム状ミラー８８と第１制御部左プリズム状ミラー８９を経由して第１制御部８１ａ側から出力される（図１８のステップＸ３、ステップＸ４、及び図１８のステップＵ５）。
【０１４２】
多重化装置１００は第２記憶部８６ａが停止していない場合、第１記憶部８５ａが停止しているか否か確認し、第１記憶部８５ａが停止している場合は、第５故障表示灯９３を赤点灯させる。
第５故障表示灯９３を発した光は、第１監視部右プリズム状ミラー９４と第１記憶部右プリズム状ミラー９５を経由して第１記憶部８５ａ側から出力される（図１８のステップＸ５、ステップＸ６、及びステップＵ６）。
【０１４３】
多重化装置１００は第２記憶部８６ａが停止していない場合、第１記憶部８５ａが停止しているか否か確認し、第１記憶部８５ａが停止していない場合は、第５故障表示灯９３を青点灯させる。
第５故障表示灯９３を発した光は、第１監視部右プリズム状ミラー９４と第１記憶部右プリズム状ミラー９５を経由して第１記憶部８５ａ側から出力される（図１８のステップＸ５、ステップＸ６、及びステップＵ７）
【０１４４】
多重化装置１００は第１記憶部８５ａが停止していない場合、第２記憶部８６ａが停止しているか否か確認し、第２記憶部８６ａが停止している場合は第６故障表示灯９６を赤点灯させる。
第６故障表示灯９６を発した光は、第２監視部左プリズム状ミラー９７と第２記憶部左プリズム状ミラー９８を経由して第２記憶部８６ａ側から出力される（図１８のステップＸ７、ステップＸ８、ステップＵ８）。
【０１４５】
多重化装置１００は第１記憶部８５ａが停止していない場合、第２記憶部８６ａが停止しているか否か確認し、第２記憶部８６ａが停止していない場合は第６故障表示灯９６を青点灯させる。
第６故障表示灯９６を発した光は、第２監視部左プリズム状ミラー９７と第２記憶部左プリズム状ミラー９８を経由して第２記憶部８６ａ側から出力される（図１８のステップＸ７、ステップＸ８、及びステップＵ９）。
【０１４６】
第１監視部８３ａは第２制御部８２ａが停止しているか否か確認し、第２制御部８２ａが停止している場合は第２記憶部８６ａが停止しているか否か確認する動作を繰り返す（図１９のステップＺ１及びステップＺ３）。
【０１４７】
第１監視部８３ａは第２制御部８２ａが停止していない場合、第１制御部８１ａが停止しているか否か確認し、第１制御部８１ａが停止している場合は、第１故障表示灯８７を赤点灯させる。
第１故障表示灯８７を発した光は、第１監視部左プリズム状ミラー８８と第１制御部左プリズム状ミラー８９を経由して第１制御部８１ａ側から出力される（図１９のステップＺ１、ステップＺ２、及びステップＶ３）。
【０１４８】
第１監視部８３ａは第２制御部８２ａが停止していない場合、第１制御部８１ａが停止しているか否か確認し、第１制御部８１ａが停止していない場合は、第１故障表示灯８７を青点灯させる。
第１故障表示灯８７を発した光は、第１監視部左プリズム状ミラー８８と第１制御部左プリズム状ミラー８９を経由して第１制御部８１ａ側から出力される（図１９のステップＺ１、ステップＺ２、及びステップＶ４）。
【０１４９】
第１監視部８３ａは、第２記憶部８６ａが停止していない場合、第１記憶部８５ａが停止しているか否か確認する。
第１監視部８３ａは、第１記憶部８５ａが停止している場合、第５故障表示灯９３を赤点灯する。
第５故障表示灯９３を発した光は、第１監視部右プリズム状ミラー９４と第１記憶部右プリズム状ミラー９５を経由して第１記憶部８５ａ側から出力する（図１９のステップＺ３、ステップＺ４、及びステップＶ５）。
【０１５０】
第１監視部８３ａは、第１記憶部８５ａが停止していない場合は、第５故障表示灯９３を青点灯する。
第５故障表示灯９３を発した光は、第１監視部右プリズム状ミラー９４と第１記憶部右プリズム状ミラー９５を経由して第１記憶部８５ａ側から出力する（図１９のステップＺ３、ステップＺ４、及びステップＶ６）。
【０１５１】
第２監視部８４ａは、第１制御部８１ａが停止しているか否か確認する。
第２監視部８４ａは、第１制御部８１ａが停止している場合、第１記憶部８５ａが停止しているか否か確認する動作を繰り返す（図２０のステップＹ１、及びステップＹ３）。
【０１５２】
第２監視部８４ａは、第１制御部８１ａが停止していない場合、更に第２制御部８２ａが停止しているか否か確認する。
第２監視部８４ａは、第２制御部８２ａが停止している場合、第２故障表示灯９０を赤点灯する。
第２故障表示灯９０を発した光は、第２監視部右プリズム状ミラー９１と第２制御部右プリズム状ミラー９２を経由して第２制御部８２ａ側から出力する（図２０のステップＹ１、ステップＹ２、及びステップＷ３）。
【０１５３】
第２監視部８４ａは、第１制御部８１ａが停止していない場合、第２制御部８２ａが停止しているか否か確認する。
第２監視部８４ａは、第２制御部８２ａが停止していない場合、第２故障表示灯９０を青点灯する。
第２故障表示灯９０を発した光は、第２監視部右プリズム状ミラー９１と第２制御部右プリズム状ミラー９２を経由して第２制御部８２ａ側から出力する（図２０のステップＹ１、ステップＹ２、及びステップＷ４）。
【０１５４】
第２監視部８４ａは、第１記憶部８５ａが停止していない場合、第２記憶部８６ａが停止しているか否か確認し、第２記憶部８６ａが停止している場合は第６故障表示灯９６を赤点灯させる。
第６故障表示灯９６を発した光は、第２監視部左プリズム状ミラー９７と第２記憶部左プリズム状ミラー９８を経由して第２記憶部ａ８６側から出力する（図２０のステップＹ３、ステップＹ４、及びステップＷ５）。
【０１５５】
第２監視部８４ａは、第１記憶部８５ａが停止していない場合、第２記憶部８６ａが停止しているか否か確認し、第２記憶部８６ａが停止していない場合は第６故障表示灯９６を青点灯させる。
第６故障表示灯９６を発した光は、第２監視部左プリズム状ミラー９７と第２記憶部左プリズム状ミラー９８を経由して第２記憶部８６ａ側から出力する（図２０のステップＹ３、ステップＹ４、及びステップＷ６）。
【０１５６】
以上で説明したように、本第４の実施の形態によると、制御部と記憶部を分離した二重化装置にあって、多重故障が発生した場合にも故障順序情報及び故障箇所を表示することが可能となる。
【０１５７】
その他の構成およびその他のステップないしは機能並びにその作用効果については、前述した第２実施形態の場合と同一となっている。また、上記の説明において、上述した各ステップの動作内容及び各部の構成要素並びにそれらによる各機能をプログラム化（ソフトウエアプログラム）し、コンピュータに実行させてもよい。
【０１５８】
［第５の実施の形態］
次に、本発明にかかる第５の実施の形態について、図２１及び図２２に基づいて説明する。図２１は、本発明の第５実施形態による多重化装置の全体構成の一例を示す説明図である。図２２は、図２１の多重化装置の詳細構成の一例を示す説明図である。
【０１５９】
本第５の実施の形態では、積層された各制御部の両側端部に各々監視部を構成している点が第３の実施の形態と異なる。
【０１６０】
具体的には、図２１乃至図２２を参照すると、本第５実施形態の多重化装置２００は、一の電子機器１１１における第１制御部１１１ａと他の電子機器１１２とにおける第２制御部１１２ａとが積層配置される。
又、多重化装置２００は、一の監視用電子機器１１３における第１監視部１１３ａが積層方向と交差する方向の一側端部に配置され、他の監視用電子機器１１４における第２監視部１１４ａが積層方向と交差する方向の他側端部に配置される。
【０１６１】
又、多重化装置２００は、一方の電子機器１１１に関連する第１表示部（「ＦＡＵＬＴ―Ａ」）は第１層に構成され、一方の電子機器１１１に関連する第２表示部（「ＦＡＵＬＴ―Ｃ」）は第１層に構成される。
更に、多重化装置２００は、他方の電子機器１１２に関連する第１表示部（「ＦＡＵＬＴ―Ｂ」）は第２層に構成され、他方の電子機器１１２に関連する第２表示部（「ＦＡＵＬＴ―Ｄ」）は第２層に構成される。
【０１６２】
多重化装置２００は、更に、監視用電子機器１１３の第１層に対応する高さ位置に第１故障表示灯１１５を有し、監視用電子機器１１３の第２層に対応する高さ位置に第４故障表示灯１１８を有する。
又、多重化装置２００は、更に、監視用電子機器１１４の第１層に対応する高さ位置に第３故障表示灯１１７を有し、監視用電子機器１１４の第２層に対応する高さ位置に第２故障表示灯１１６を有する。
【０１６３】
又、多重化装置２００における光伝達部は、監視用電子機器１１３における前記故障表示灯（第１故障表示灯１１５）からの出力光を一方の前記電子機器１１１に装備された第１表示部（「ＦＡＵＬＴ―Ａ」）に向けて案内し伝達する第１の他電子機器用光伝達部（第１制御部左プリズム状ミラー１１９）を備える。
【０１６４】
更に、多重化装置２００における光伝達部は、監視用電子機器１１３における前記第２故障表示灯（第４故障表示灯１１８）からの出力光を他方の前記電子機器１１２に装備された第２表示部（「ＦＡＵＬＴ―Ｄ」）に向けて案内し伝達する第２の他電子機器用光伝達部（第２制御部左プリズム状ミラー１２２）を備える。
【０１６５】
又、多重化装置２００における光伝達部は、監視用電子機器１１４における前記故障表示灯（第２故障表示灯１１６）からの出力光を他方の前記電子機器１１２に装備された第１表示部（「ＦＡＵＬＴ―Ｂ）に向けて案内し伝達する第３の他電子機器用光伝達部（第２制御部右プリズム状ミラー１２０）を備える。
【０１６６】
更に、多重化装置２００における光伝達部は、監視用電子機器１１３における前記第２故障表示灯（第３故障表示灯１１７）からの出力光を一方の前記電子機器１１１に装備された第２表示部（「ＦＡＵＬＴ―Ｃ」）に向けて案内し伝達する第４の他電子機器用光伝達部（第１制御部右プリズム状ミラー１２１）を備える。
【０１６７】
更に、多重化装置２００のシステムバス１１０における制御バス１２７、第１監視バス１２３、第２監視バス１２４は、長さが最短となっている。
システムバス１１０は、第１識別子格納部１２５と第２識別子格納部１２６とを含む。
【０１６８】
上述のような構成を有する多重化装置２００における動作処理手順は、第２の実施の形態と同様である。
【０１６９】
以上で説明したように、本第５実施形態によると、装置の高さを低く抑え薄型・小型化し、かつ制御バスの長さを最短とすることが可能である。
第５の実施例にあっては、第１監視部１１３と第２監視部１１４にある故障表示灯の向きが逆であり第１識別子格納部１２５と第２識別子格納部１２６の位置も異なっている。例えば第２監視部１１４が故障し交換する作業を考えると他で動作している多重化装置１１２に内蔵されていた第１監視部１１３を用いる場合、１８０度回転させ上下を逆に実装する必要がある。
【０１７０】
さらに、プリズム状ミラーによる光接続とループ状光経路による光接続を組み合わせることも可能であり、前記組み合わせによるとレイアウトの自由度が高くなり、様々な配置構成をとることも可能となる。
【０１７１】
その他の構成およびその他のステップないしは機能並びにその作用効果については、前述した第２実施形態の場合と同一となっている。また、上記の説明において、上述した各ステップの動作内容及び各部の構成要素並びにそれらによる各機能をプログラム化（ソフトウエアプログラム）し、コンピュータに実行させてもよい。
【０１７２】
［第６の実施の形態］
次に、本発明にかかる第６の実施の形態について、図２３及び図２４に基づいて説明する。図２３は、本発明の第６実施形態による多重化装置の全体構成の一例を示す説明図である。図２４は、図２３の多重化装置の詳細構成の一例を示す説明図である。
【０１７３】
本第６の実施の形態では、第１監視部及び第２監視部を一つの監視用電子機器に備える点が第１の実施の形態と異なる。
【０１７４】
具体的には、図２３乃至図２４を参照すると、本第６実施形態の多重化装置１２８は、一の電子機器１３１における第１制御部１３１ａと監視用電子機器１３３における監視部１３３ａと他の電子機器１３２における第２制御部１３２ａと、が積層配置される。
又、監視用電子機器１３３における監視部１３３ａには、第１監視部に相当する第１監視モジュール１４７と、第２監視部に相当する第２監視モジュール１４８とを備える。
監視用電子機器１３３は、第１故障表示灯１３４と第２故障表示灯１３７とを備える。
【０１７５】
又、多重化装置１２８における光伝達部は、監視用電子機器１３３における第１故障表示灯１３４からの出力光を他方の前記電子機器１３２に装備された第１表示部（「ＦＡＵＬＴ―Ａ」）に向けて案内し伝達する他電子機器用光伝達部（監視部左プリズム状ミラー１３５、第２制御部左プリズム状ミラー１３６）を備える。
【０１７６】
又、多重化装置１２８における光伝達部は、監視用電子機器１３３における第２故障表示灯１３７からの出力光を一方の前記電子機器１３１に装備された第１表示部（「ＦＡＵＬＴ―Ｂ）に向けて案内し伝達する他電子機器用光伝達部（監視部右プリズム状ミラー１３８、第１制御部右プリズム状ミラー１３９）を備える。
【０１７７】
又、多重化装置１２８のシステムバス１２９は、制御バス１３０と第１監視バス１４３と第２監視バス１４４と第１識別子格納部１４５と第２識別子格納部１４６により構成される。
【０１７８】
上述のような構成を有する多重化装置１２８における動作処理手順は、第１の実施の形態と同様である。
【０１７９】
以上で説明したように、本第６実施形態によると、回路規模が比較的小さい監視部を１モジュールに統合させることで装置の高さを低く抑え薄型・小型化することが可能である。
【０１８０】
さらに、プリズム状ミラーによる光接続とループ状光経路による光接続を組み合わせることも可能であり、前記組み合わせによるとレイアウトの自由度が高くなり、様々な配置構成をとることも可能となる。
【０１８１】
その他の構成およびその他のステップないしは機能並びにその作用効果については、前述した実施の形態の場合と同一となっている。また、上記の説明において、上述した各ステップの動作内容及び各部の構成要素並びにそれらによる各機能をプログラム化（ソフトウエアプログラム）し、コンピュータに実行させてもよい。
【０１８２】
[その他の各種変形例]
また、本発明にかかる装置及び方法は、そのいくつかの特定の実施の形態に従って説明してきたが、本発明の主旨および範囲から逸脱することなく本発明の本文に記述した実施の形態に対して種々の変形が可能である。
【０１８３】
例えば、上記構成部材の数、位置、形状等は上記実施の形態に限定されず、本発明を実施する上で好適な数、位置、形状等にすることができる。すなわち、上記実施の形態では、制御部、電子機器が２台、監視用電子機器が２台などの場合を示したが、本発明は、これらの個数を制限するものではない。
【０１８４】
又、本発明は、冗長化された電子機器を多重化する場合に限らず、非冗長構成の電子機器による多重化装置、一部に冗長構成を含む多重化装置、これらを組み合わせた種々の多重化パターンの多重化装置であってもよい。又、電子機器は、種々の回路であってもよい。
【０１８５】
また、電子機器の多重化装置としては、電子計算機の冗長化部品（冗長化されたストレージコントローラや冗長化サーバのコントローラ並びに冗長化されたサーバ監視機構）や冗長化された各種ネットワークスイッチ及び冗長化された構内交換機等に用いてもよい。
例えば、サーバを多重化した多重化装置において、電子機器の一例であるサーバには、複数のＣＰＵやメモリ、ＨＤＤ、チップセット、その他の回路などの主要コンポーネントが１つの電子機器内に装備されている場合を含む。これらの複数の電子機器である各サーバを多重化した多重化装置においては、一つのＯＳ（オペレーティングシステム）（全体制御部）にて多重化装置を制御することができる。この場合、障害が発生すると、障害部分の一のサーバを切り離し、他の新たなサーバに交換することにより、故障したモジュールを交換し運用を継続して行うことができるようになっている。
さらに、バス部は、システムバスにより構成してもよいし、システムバスに加えて監視用バスなどの他の種々のバスを構成してもよい。
【０１８６】
記憶部としては、ハードディスク、半導体メモリ並びに集積回路、光磁気ディスク、磁気記録媒体等を用いてよい。
【０１８７】
さらに、制御部としては、各種サーバー、ＥＷＳ（エンジニアリングワークステーション）、中型コンピュータ、メインフレームなどが挙げられる。
【０１８８】
又、明細書中の記載において広義な用語（機器用表示部、機器制御部等）として引用された用語（第１表示部、第２表示部、第１制御部、第２制御部等）は、明細書中の他の記載においても広義な用語に置き換えることができる。更に、明細書中の記載において、各ステップが各々処理する各動作内容は、各ステップの動作説明に記載されていないが、記憶媒体などにおける各々の特定の記憶領域に各々書き込む処理を各々実行することを含むものである。
【０１８９】
また、発明の範囲は、図示例に限定されないものとする。さらに、上記各実施の形態には種々の段階が含まれており、開示される複数の構成要件における適宜な組み合わせにより種々の発明が抽出され得る。つまり、上述の各実施の形態同士、あるいはそれらのいずれかと各変形例のいずれかとの組み合わせによる例をも含む。
【産業上の利用可能性】
【０１９０】
本発明は、電子機器全般、電子計算機の冗長化部品といった用途に利用できる。
【符号の説明】
【０１９１】
１，２１，５１，８１，１１１，１３１・・・・・一方の電子機器  
１ａ，２１ａ，５１ａ，８１ａ，１１１ａ，１３１ａ・・・・・・第１制御部（機器制御部）
２，２２，５２，８２，１１２，１３２・・・・・他方の電子機器  
２ａ，２２ａ，５２ａ，８２ａ，１１２ａ，１３２ａ・・・・・・第２制御部（機器制御部）
３，２３，５３，８３，１１３，１３３・・・・・一方の監視用電子機器  
３ａ，２３ａ，５３ａ，８３ａ，１１３ａ・・・・第１監視部
４，２４，５４，８４，１１４・・・・・他方の監視用電子機器  
４ａ，２４ａ，５４ａ，８４ａ，１１４ａ・・・・第２監視部
６，２５，５５，８７，１１５，１３４・・・・第１故障表示灯
７，・・・・監視部左プリズム状ミラー（光伝達部）
８，・・・・制御部左プリズム状ミラー（光伝達部）
９，２６，５６，９０，１１６，１３７・・・・第２故障表示灯
１０，・・・・監視部右プリズム状ミラー（光伝達部）
１１，・・・・制御部右プリズム状ミラー（光伝達部）
１２，２０，５０，９９，１１０，１２９・・・・システムバス（バス部）
１３，４２，６８，１０５，１２７，１３０・・・・制御バス
１４，４１，６７，１００，２００，１２８・・・・・・多重化装置
１５，４３，６９，１０３，１２３，１４３・・・・第１監視バス
１６，４４，７０，１０４，１２４，１４４・・・・第２監視バス
１７，４５，７１，１０１，１２５，１４５・・・・第１識別子格納部
１８，４６，７２，１０２，１２６，１４６・・・・第２識別子格納部
２７，５７，１１７・・・・・・第３故障表示灯
２８，５８，１１８・・・・・・第４故障表示灯
２９・・・・第１制御部右プリズム状ミラー（第１の他電子機器用光伝達部の一部）
３０・・・・第１制御部右プリズム状ミラー（第１の他電子機器用光伝達部の一部）
３１・・・・第１制御部右プリズム状ミラー（第１の他電子機器用光伝達部の一部）
３８・・・・第２制御部左プリズム状ミラー（第２の他電子機器用光伝達部の一部）
３９・・・・第２制御部左プリズム状ミラー（第２の他電子機器用光伝達部の一部）
４０・・・・第２制御部上プリズム状ミラー（第２の他電子機器用光伝達部の一部）
６１・・・・第１制御部右光経路クラッド（ループ状光経路の一部）
６２・・・・第１制御部右光経路コア（ループ状光経路の一部）  
６４・・・・第２制御部左光経路クラッド（ループ状光経路の一部）
６５・・・・第２制御部左光経路コア（ループ状光経路の一部）
８５・・・・・・・一方の記憶用電子機器  
８５ａ・・・・・・第１記憶部
８６・・・・・・・他方の記憶用電子機器  
８６ａ・・・・・・第２記憶部
９３・・・・・・第５故障表示灯
９６・・・・・・第６故障表示灯
１４７・・・・・・第１監視モジュール（第１監視部）
１４８・・・・・・第２監視モジュール（第２監視部）
ＦＡＵＬＴ―Ａ，ＦＡＵＬＴ―Ｂ・・・・第１表示部（機器用表示部）
ＦＡＵＬＴ―Ｃ，ＦＡＵＬＴ―Ｄ・・・・第２表示部（機器用表示部）
ＦＡＵＬＴ―Ｅ，ＦＡＵＬＴ―Ｆ・・・・第３表示部（機器用表示部）
【図１】
2010182037.tif 000003
【図２】
2010182037.tif 000004
【図３】
2010182037.tif 000005
【図４】
2010182037.tif 000006
【図５】
2010182037.tif 000007
【図６】
2010182037.tif 000008
【図７】
2010182037.tif 000009
【図８】
2010182037.tif 000010
【図９】
2010182037.tif 000011
【図１０】
2010182037.tif 000012
【図１１】
2010182037.tif 000013
【図１２】
2010182037.tif 000014
【図１３】
2010182037.tif 000015
【図１４】
2010182037.tif 000016
【図１５】
2010182037.tif 000017
【図１６】
2010182037.tif 000018
【図１７】
2010182037.tif 000019
【図１８】
2010182037.tif 000020
【図１９】
2010182037.tif 000021
【図２０】
2010182037.tif 000022
【図２１】
2010182037.tif 000023
【図２２】
2010182037.tif 000024
【図２３】
2010182037.tif 000025
【図２４】
2010182037.tif 000026